(57)【要約】【課題】貯メダルする場合でも、複数の会員で貸出メダルを合算購入ができ、利用客の利便性を確保できるメダル貸出処理方法を提供する。【解決手段】会員毎の情報および会員毎の口座に預け入れられる貯メダル数を管理する貯メダル管理装置とメダル貸出処理の操作を受け付けるメダル貸機とが通信し、メダル貸出処理をするメダル貸出処理方法である。貨幣を受け付け、受け付けた貨幣の金額に応じて貸出可能な貸出メダルの数量情報を受け付け、認証情報を受け付けて会員を認証し、認証した会員の口座に貯メダルデータを更新するように貯メダル管理装置へデータ送信するメダル貸出処理を行う。１回のメダル貸出処理中に複数の認証情報を受け付けて複数の会員の認証を可能とする。【選択図】図３
2013255574.tif 000002
【特許請求の範囲】
【請求項１】
会員毎の情報および会員毎の口座に預け入れられる貯メダル数を管理する貯メダル管理装置とメダル貸出処理の操作を受け付けるメダル貸機とが通信し、メダル貸出処理をするメダル貸出方法であって、
貨幣を受け付け、受け付けた貨幣の金額に応じて貸出可能な貸出メダルの数量情報を受け付け、認証情報を受け付けて会員を認証し、認証した会員の口座の貯メダルデータを更新するメダル貸出処理を行うとともに、
１回のメダル貸出処理中に複数の認証情報を受け付けて複数の会員の認証を可能とする
ことを特徴とするメダル貸出処理方法。
【請求項２】
貨幣および数量情報を受け付けた後、メダルを払い出すのか会員の口座に貯メダルするのかの選択を受け付ける
ことを特徴とする請求項１記載のメダル貸出処理方法。
【請求項３】
貯メダルが選択された場合、貯メダルをする会員数を受け付ける
ことを特徴とする請求項２記載のメダル貸出処理方法。
【請求項４】
１回のメダル貸出処理中に複数の会員を認証した場合、認証した複数の会員の口座の貯メダルデータを更新する
ことを特徴とする請求項１ないし３いずれか一記載のメダル貸出処理方法。
【請求項５】
１回のメダル貸出処理中に複数の会員を認証した場合、認証した会員の数で貸出メダル数を均等割りするのか各々の会員に対して貸出メダル数を入力するのかの選択を受け付ける
ことを特徴とする請求項１ないし４いずれか一記載のメダル貸出処理方法。
【請求項６】
会員の認証は、生体認証、会員識別媒体の認証、暗証番号の認証のうちの少なくともいずれか１つである
ことを特徴とする請求項１ないし５いずれか一記載のメダル貸出処理方法。
【請求項７】
会員毎の情報および会員毎の口座に預け入れられる貯メダル数を管理する貯メダル管理装置とメダル貸出処理の操作を受け付けるメダル貸機とが通信し、メダル貸出処理をするメダル貸出方法であって、
貨幣を受け付け、受け付けた貨幣の金額に応じて貸出可能な貸出メダルの数量情報を受け付け、認証情報を受け付けて会員を認証し、認証した会員の口座の貯メダルデータを更新した後、
当該会員の認証を条件に、当該会員の貯メダル数の一部を他の所定の会員の口座に移行するように当該会員および他の所定の会員の口座の貯メダルデータを更新する
ことを特徴とするメダル貸出処理方法。
【請求項８】
会員毎の情報および会員毎の口座に預け入れられる貯メダル数を管理する貯メダル管理装置と、この貯メダル管理装置と通信可能に接続されるメダル貸機とを含むメダル貸出処理システムであって、
貨幣を受け付ける受付手段と、
前記受付手段で受け付けた貨幣の金額に応じて貸出可能な貸出メダルの数量情報を取得する取得手段と、
認証情報の入力を受け付ける認証情報入力手段と、
前記認証情報入力手段にて受け付けた認証情報に基づいて会員を認証する会員認証手段と、
前記会員認証手段にて認証した会員の口座の貯メダルデータを更新する貯メダルデータ更新手段と、
前記取得手段が取得した数量情報に基づく処理において、複数の前記認証情報を受け付ける認証拡張手段と
を具備していることを特徴とするメダル貸出処理システム。
【請求項９】
会員毎の情報および会員毎の口座に預け入れられる貯メダル数を管理する貯メダル管理装置と通信可能に接続されるメダル貸機であって、
貨幣を受け付ける受付手段と、
前記受付手段で受け付けた貨幣の金額に応じて貸出可能な貸出メダルの数量情報を取得する取得手段と、
認証情報の入力を受け付ける認証情報入力手段と、
前記認証情報入力手段にて受け付けた認証情報に基づいた会員の認証を前記貯メダル管理装置に要求する会員認証要求手段と、
認証された会員の口座の貯メダルデータの更新を前記貯メダル管理装置に要求する貯メダルデータ更新要求手段と、
前記取得手段が取得した数量情報に基づく処理において、複数の前記認証情報を受け付ける認証拡張手段と
を具備していることを特徴とするメダル貸機。
【発明の詳細な説明】
【技術分野】
【０００１】
本発明は、貯メダル対応のメダル貸出処理方法、メダル貸出処理システムおよびメダル貸機に関する。
【背景技術】
【０００２】
例えばアミューズメント施設では、ゲーム機で使用するメダルをメダル貸機で貸し出し、貸し出されたメダルを使用してゲーム機でゲームを行っている。
【０００３】
メダル貸機は、利用者が貨幣を投入すると、貨幣の金額に応じた枚数の貸出メダルを払い出し可能となっている。例えば、５０００円で５００枚のメダル、１００００円で１２００枚のりメダルというようになっており、１回のメダルの貸出金額が高額な方がプレミアム分が加算されて利用者にとってお得になるようになっている場合がある。
【０００４】
また、会員制のアミューズメント施設では、会員がゲーム機でゲームした後の余ったメダルを、次回に使用できるように預けることが可能となっている。この場合、会員毎の情報および会員毎の口座に預け入れられる貯メダル数を管理する貯メダル管理装置を用い、この貯メダル管理装置とメダル預入機およびメダル貸機を通信可能に接続している。そして、メダル預入機で預けるメダルを計数して会員認証することにより会員の口座に貯メダルし、次回に、メダル貸機で会員認証することにより預けられていたメダルを払い出すようにしている。また、メダル貸機でメダルを購入する際に、購入枚数分のメダルの一部を払い出し、残りを会員の口座に貯メダルすることが可能になっている（例えば、特許文献１参照。）。
【先行技術文献】
【特許文献】
【０００５】
【特許文献１】特開２０１０−１１９５７５号公報
【発明の概要】
【発明が解決しようとする課題】
【０００６】
上述のように１回のメダルの貸出金額が高額の方がお得になる場合、現行のメダル貸機では、例えば、友人２人が５０００円ずつを出し合って１００００円で１２００枚の貸出メダルを合算購入し、貸出メダルを友人２人で６００枚ずつに分けることが可能となっている。
【０００７】
しかしながら、会員の口座に貯メダルする場合には、貸出メダルを合算購入することはできず、利用客の利便性が損なわれてしまう。
【０００８】
本発明は、このような点に鑑みなされたもので、貯メダルする場合でも、複数の会員で貸出メダルを合算購入でき、利用客の利便性を確保できるメダル貸出処理方法、メダル貸出処理システムおよびメダル貸機を提供することを目的とする。
【課題を解決するための手段】
【０００９】
請求項１記載のメダル貸出処理方法は、会員毎の情報および会員毎の口座に預け入れられる貯メダル数を管理する貯メダル管理装置とメダル貸出処理の操作を受け付けるメダル貸機とが通信し、メダル貸出処理をするメダル貸出方法であって、貨幣を受け付け、受け付けた貨幣の金額に応じて貸出可能な貸出メダルの数量情報を受け付け、認証情報を受け付けて会員を認証し、認証した会員の口座の貯メダルデータを更新するメダル貸出処理を行うとともに、１回のメダル貸出処理中に複数の認証情報を受け付けて複数の会員の認証を可能とするものである。
【００１０】
請求項２記載のメダル貸出処理方法は、請求項１記載のメダル貸出処理方法において、貨幣および数量情報を受け付けた後、メダルを払い出すのか会員の口座に貯メダルするのかの選択を受け付けるものである。
【００１１】
請求項３記載のメダル貸出処理方法は、請求項２記載のメダル貸出処理方法において、貯メダルが選択された場合、貯メダルをする会員数を受け付けるものである。
【００１２】
請求項４記載のメダル貸出処理方法は、請求項１ないし３いずれか一記載のメダル貸出処理方法において、１回のメダル貸出処理中に複数の会員を認証した場合、認証した複数の会員の口座の貯メダルデータを更新するものである。
【００１３】
請求項５記載のメダル貸出処理方法は、請求項１ないし４いずれか一記載のメダル貸出処理方法において、１回のメダル貸出処理中に複数の会員を認証した場合、認証した会員の数で貸出メダル数を均等割りするのか各々の会員に対して貸出メダル数を入力するのかの選択を受け付けるものである。
【００１４】
請求項６記載のメダル貸出処理方法は、請求項１ないし５いずれか一記載のメダル貸出処理方法において、会員の認証は、生体認証、会員識別媒体の認証、暗証番号の認証のうちの少なくともいずれか１つである。
【００１５】
請求項７記載のメダル貸出処理方法は、会員毎の情報および会員毎の口座に預け入れられる貯メダル数を管理する貯メダル管理装置とメダル貸出処理の操作を受け付けるメダル貸機とが通信し、メダル貸出処理をするメダル貸出方法であって、貨幣を受け付け、受け付けた貨幣の金額に応じて貸出可能な貸出メダルの数量情報を受け付け、認証情報を受け付けて会員を認証し、認証した会員の口座の貯メダルデータを更新した後、当該会員の認証を条件に、当該会員の貯メダル数の一部を他の所定の会員の口座に移行するように当該会員および他の所定の会員の口座の貯メダルデータを更新するものである。
【００１６】
請求項８記載のメダル貸出処理システムは、会員毎の情報および会員毎の口座に預け入れられる貯メダル数を管理する貯メダル管理装置と、この貯メダル管理装置と通信可能に接続されるメダル貸機とを含むメダル貸出処理システムであって、貨幣を受け付ける受付手段と、前記受付手段で受け付けた貨幣の金額に応じて貸出可能な貸出メダルの数量情報を取得する取得手段と、認証情報の入力を受け付ける認証情報入力手段と、前記認証情報入力手段にて受け付けた認証情報に基づいて会員を認証する会員認証手段と、前記会員認証手段にて認証した会員の口座の貯メダルデータを更新する貯メダルデータ更新手段と、前記取得手段が取得した数量情報に基づく処理において、複数の前記認証情報を受け付ける認証拡張手段とを具備しているものである。
【００１７】
請求項９記載のメダル貸機は、会員毎の情報および会員毎の口座に預け入れられる貯メダル数を管理する貯メダル管理装置と通信可能に接続されるメダル貸機であって、貨幣を受け付ける受付手段と、前記受付手段で受け付けた貨幣の金額に応じて貸出可能な貸出メダルの数量情報を取得する取得手段と、認証情報の入力を受け付ける認証情報入力手段と、前記認証情報入力手段にて受け付けた認証情報に基づいた会員の認証を前記貯メダル管理装置に要求する会員認証要求手段と、認証された会員の口座の貯メダルデータの更新を前記貯メダル管理装置に要求する貯メダルデータ更新要求手段と、前記取得手段が取得した数量情報に基づく処理において、複数の前記認証情報を受け付ける認証拡張手段とを具備しているものである。
【発明の効果】
【００１８】
請求項１記載のメダル貸出処理方法によれば、１回のメダル貸出処理中に複数の認証情報を受け付けて複数の会員の認証を可能とすることにより、貯メダルする場合でも、複数の会員で貸出メダルを合算購入でき、利便性を向上できる。
【００１９】
請求項２記載のメダル貸出処理方法によれば、請求項１記載のメダル貸出処理方法の効果に加えて、貨幣および貸出メダル数を受け付けた後、メダルを払い出すのか会員の口座に貯メダルするのかの選択を受け付けることができる。
【００２０】
請求項３記載のメダル貸出処理方法によれば、請求項２記載のメダル貸出処理方法の効果に加えて、貯メダルが選択された場合、貯メダルをする会員数を受け付けることにより、複数の会員での合算購入することができる。
【００２１】
請求項４記載のメダル貸出処理方法によれば、請求項１ないし３いずれか一記載のメダル貸出処理方法の効果に加えて、１回のメダル貸出処理中に複数の会員の認証をした場合、認証した複数の会員の口座の貯メダルデータを更新することができる。
【００２２】
請求項５記載のメダル貸出処理方法によれば、請求項１ないし４いずれか一記載のメダル貸出処理方法の効果に加えて、１回のメダル貸出処理中に複数の会員を認証した場合、認証した会員の数で貸出メダル数を均等割りするのか各々の会員に対して貸出メダル数を入力するのかの選択を受け付けることにより、貯メダル数の分配方法を任意に選択することができ、利用者の利便性を向上できる。
【００２３】
請求項６記載のメダル貸出処理方法によれば、請求項１ないし５いずれか一記載のメダル貸出処理方法の効果に加えて、生体認証、会員識別媒体の認証、暗証番号の認証のうちの少なくともいずれか１つで、会員の認証をすることができ、利用者の利便性を向上できる。
【００２４】
請求項７記載のメダル貸出処理方法によれば、貨幣を受け付け、受け付けた貨幣の金額に応じて貸出可能な貸出メダルの数量情報を受け付け、認証情報を受け付けて会員を認証し、認証した会員の口座の貯メダルデータを更新した後、当該会員の認証を条件に、当該会員の貯メダル数の一部を他の所定の会員の口座に移行するように当該会員および他の所定の会員の口座の貯メダルデータを更新することにより、貯メダルする場合でも、複数の会員で貸出メダルを合算購入でき、利便性を向上できる。
【００２５】
請求項８記載のメダル貸出処理システムによれば、取得手段が取得した数量情報に基づく処理において、認証拡張手段により複数の認証情報を受け付けることができるため、貯メダルする場合でも、複数の会員で貸出メダルを合算購入でき、利便性を向上できる。
【００２６】
請求項９記載のメダル貸機によれば、取得手段が取得した数量情報に基づく処理において、認証拡張手段により複数の認証情報を受け付けることができるため、貯メダルする場合でも、複数の会員で貸出メダルを合算購入でき、利便性を向上できる。
【図面の簡単な説明】
【００２７】
【図１】一実施の形態を示すメダル貸出処理方法を適用するメダル貸機の斜視図である。
【図２】同上メダル貸機を用いたメダル運用システムのブロック図である。
【図３】同上メダル貸出処理方法に従って表示する画面の説明図である。
【図４】同上メダル貸出処理方法のフローチャートである。
【発明を実施するための形態】
【００２８】
以下、一実施の形態を、図面を参照して説明する。
【００２９】
図１にメダル貸機10の斜視図を示す。
【００３０】
このメダル貸機10の前面には、表示部11および操作部12として機能するタッチパネルディスプレイ13、紙幣を投入する紙幣投入口14、紙幣を返却する紙幣返却口15、硬貨を投入する硬貨投入口16、硬貨を返却する硬貨返却口17、会員識別媒体としての会員カードを挿入する会員カード挿入口18、会員の生体認証を行う生体認証部19、カップおよびメダルを払い出す取出部20が配設されている。生体認証としては、指静脈認証、指紋認証、顔認証などのいずれでもよい。
【００３１】
図２に、メダル貸機10を用いたメダル運用システム（メダルレス運用システム）を示す。
【００３２】
このメダル運用システムは、メダル貸機10、貯メダル管理装置23、および少なくとも１台のゲーム機24を備え、これらがネットワーク接続されて構成されている。そして、メダル貸機10および貯メダル管理装置23により、メダル貸出処理をするメダル貸出処理システム25が構成されている。
【００３３】
このメダル運用システムでは、利用者は予め会員として登録する。メダル貸機10では、利用者の会員認証後、貸出メダル分の貯メダルを選択することにより、貯メダル管理装置23が有する会員の口座に貸出メダル分の貯メダルを指示する。また、貯メダル管理装置23では、メダル貸機10からの貯メダルの指示に応じて会員の口座に貸出メダル分を貯メダルデータに加算記憶する。そして、ゲーム機24では、利用者の会員認証により、貯メダル管理装置23に会員の口座の貯メダル数を問い合わせ、貯メダル管理装置23から受信した貯メダル数を記憶、表示し、ゲーム機24の利用を可能とする。ゲーム機24の利用の終了後は、会員の操作により残メダル数を貯メダル管理装置23へ送信し、会員の口座の貯メダルデータを更新する。
【００３４】
メダル貸機10は、メダル貸機10を制御する制御部27を備えている。制御部27には、タッチパネルディスプレイ13である表示／操作部28（表示部11および操作部12）、貯メダル管理装置23と通信する外部通信部29、貨幣を受け付ける受付手段としての紙幣を処理する紙幣処理部30（紙幣投入口14、識別部、紙幣収納部および紙幣返却口15などを含む）および硬貨を処理する硬貨処理部31（硬貨投入口16、識別部、硬貨収納部および硬貨返却口17などを含む）、会員カード挿入口18から挿入された会員カードを読み取って認証する会員カード処理部32、会員の生体情報を読み取って認証する生体認証部19、取出部20にカップを投出するカップ投出部33（カップ収納部、およびカップ投出ユニットなどを含む）、取出部20のカップ内に貸出メダルを投出するメダル投出部34（メダル収納部、およびメダル投出ユニットなどを含む）、およびメダル貸機10に電力を供給する電源部35が接続されている。
【００３５】
そして、表示／操作部28（操作部12）、生体認証部19および会員カード処理部32は、認証情報の入力を受け付ける認証情報入力手段として機能する。また、制御部27は、受け付けた紙幣や硬貨の金額に応じて貸出可能な貸出メダルの数量情報を取得する取得手段の機能、認証情報入力手段にて受け付けた認証情報に基づいた会員の認証を貯メダル管理装置23に要求する会員認証要求手段の機能、認証された会員の口座の貯メダルデータの更新を貯メダル管理装置23に要求する貯メダルデータ更新要求手段の機能、取得手段が取得した数量情報に基づく処理において、複数の認証情報を受け付ける認証拡張手段の機能などを有している。
【００３６】
また、貯メダル管理装置23は、例えばパソコンなどで構成されており、貯メダル管理装置23を制御する制御部37を備えている。この制御部37には、表示部38、操作部39、会員の認証情報および会員の口座の貯メダル数などを記憶するデータベース部40、メダル貸機10およびゲーム機24と通信する外部通信部41、および貯メダル管理装置23に電力を供給する電源部42が接続されている。会員の認証情報には、会員が持つ会員カードの認証情報、会員の生体認証情報、会員が設定した暗証番号などが含まれる。
【００３７】
そして、制御部37は、認証情報入力手段にて受け付けた認証情報に基づいて会員を認証する会員認証手段の機能、および会員認証手段にて認証した会員の口座の貯メダルデータを更新する貯メダルデータ更新手段の機能を有している。
【００３８】
また、ゲーム機24は、ゲーム機24を制御する本体制御部44を備えている。この本体制御部44に、表示／操作部45、貯メダル管理装置23と通信する外部通信部46、ゲームを制御するゲームソフト制御部47、会員カードを読み取って認証する会員カード処理部48、会員の生体情報を読み取って認証する生体認証部49、およびゲーム機24に電力を供給する電源部50が接続されている。
【００３９】
次に、メダル貸機10の制御部27によるメダル貸出処理方法を、図３のタッチパネルディスプレイ13の画面および図４のフローチャートを参照して説明する。
【００４０】
メダル貸機10の待機中において、貨幣（紙幣、硬貨）の投入があると（ステップ１のＹＥＳ）、受け付けた貨幣の金額に応じた貸出メダル数の貸出パターン（貸出メダルの数量情報）の選択画面をタッチパネルディスプレイ13に表示する（ステップ２）。貸出パターンとしては、例えば、１０００円：８０枚、２０００円：１８０枚、５０００円：５００枚、１００００円：１２００枚がある。
【００４１】
タッチパネルディスプレイ13で貸出パターンの選択を受け付けると（ステップ３）、図３の画面(1)に示すように、タッチパネルディスプレイ13にメダル貸出処理選択画面を表示する（ステップ４）。なお、図３の画面(1)は、１００００円：１２００枚の貸出パターンが選択されている場合を示す。
【００４２】
タッチパネルディスプレイ13でメダル貸出の選択を受け付けた場合には（ステップ５のメダル貸出側）、メダル投出部34によって貸出メダル数分のメダルを投出し（ステップ６）、メダル貸機10が待機状態となる。
【００４３】
タッチパネルディスプレイ13で貯メダルの選択を受け付けた場合には（ステップ５の貯メダル側）、図３の画面(2)に示すように貯メダルする人数を選択する画面をタッチパネルディスプレイ13に表示する（ステップ７）。なお、メダル貸機10と貯メダル管理装置23との間の通信が不可能である場合には、メダル貸機10は貨幣の受け付けを含む操作のログ情報をタッチパネルディスプレイ13に表示する、あるいは帳票（レシート）発光を行うなどの方法で外部に出力する。出力された情報に基づいて、受け付けた貨幣の金額に応じた貸出メダル数の貯メダルが、店員の手入力によって貯メダル管理装置23に記憶させられる。
【００４４】
ここで、タッチパネルディスプレイ13で２人の選択を受け付けた場合には（ステップ８）、図３の画面(3)に示すように会員の認証を促す画面を表示する。
【００４５】
タッチパネルディスプレイ13で１人目の会員が選択されたら、１人目の会員の会員認証情報を表示し、１人目の会員の会員認証情報を受け付け（ステップ９）、貯メダル管理装置23へ受け付けた会員認証情報の照合を問い合わせる（ステップ10）。
【００４６】
会員の会員認証情報には、会員カード処理部32での会員カードの読み取った情報、生体認証部19での会員の例えば指静脈などの生体情報を読み取った情報、タッチパネルディスプレイ13によって入力される暗証番号の情報のいずれでもよい。
【００４７】
１人目の会員の認証が完了したら（ステップ11のＹＥＳ）、２人目の会員の認証を行う（ステップ12のＮＯ）。タッチパネルディスプレイ13で２人目の会員の会員認証画面を表示し、２人目の会員の会員認証情報を受け付け、貯メダル管理装置23へ受け付けた会員認証情報の照合を問い合わせる。
【００４８】
２人の会員の認証が完了したら（ステップ12のＹＥＳ）、図３の画面(4)に示すように貯メダル数選択画面をタッチパネルディスプレイ13に表示する（ステップ13）。
【００４９】
ここで、タッチパネルディスプレイ13で均等割りの選択を受け付けたら（ステップ14の均等割り側）、均等割りメダル数を算出し（ステップ15）、図３の画面(5)に示すように均等割りメダル数を表示する（ステップ16）。図３の画面(5)には、貸出メダル数の総数が１２００枚の場合に、６００枚ずつに均等割りした場合を示す。
【００５０】
タッチパネルディスプレイ13の「ＯＫ」表示のタッチによる確認を受け付けたら（ステップ17のＹＥＳ）、認証した２人の会員の口座に６００枚ずつ貯メダル数を加算するように貯メダル管理装置23へ貯メダルデータの更新を要求する（ステップ18）。
【００５１】
メダル貸機10からの要求に応じて貯メダル管理装置23での更新が完了し、貯メダル管理装置23から更新完了通知を受けたら（ステップ19のＹＥＳ）、２人の会員の口座にある貯メダル数の更新結果をタッチパネルディスプレイ13に表示する（ステップ20）。その後、メダル貨機10が待機中となる。
【００５２】
一方、図３の画面(4)およびステップ14において、タッチパネルディスプレイ13で枚数入力の選択を受け付けたら（ステップ14の枚数入力側）、図３の画面(6)(7)(8)に示すように会員毎に貯メダル枚数を入力する画面をタッチパネルディスプレイ13に表示する（ステップ21）。
【００５３】
枚数入力では、まず、図３の画面(6)に示すように会員を選択する画面をタッチパネルディスプレイ13に表示し、タッチパネルディスプレイ13で１人目の会員（Ａさん）の選択を受け付けたら、図３の画面(7)に示すように１人目の会員（Ａさん）に枚数入力画面をタッチパネルディスプレイ13に表示し、タッチパネルディスプレイ13のテンキー表示のタッチによる枚数（例えば５００枚）の入力を受け付ける（ステップ22）。
【００５４】
１人目の会員（Ａさん）の枚数入力が完了したら、２人目の会員（Ｂさん）の枚数入力に移る（ステップ23のＮＯ）。図３の画面(8)に示すように２人目の会員（Ｂさん）の枚数入力画面をタッチパネルディスプレイ13に表示し、タッチパネルディスプレイ13のテンキー表示のタッチによる枚数（例えば７００枚）の入力を受け付ける。
【００５５】
２人目の会員（Ｂさん）の枚数入力が完了したら（ステップ23のＹＥＳ）、認証した２人の会員の口座にそれぞれ入力された枚数ずつ貯メダル数を加算するように貯メダル管理装置23へ貯メダルデータの更新を要求する（ステップ24）。例えば、１人目の会員（Ａさん）の口座に５００枚の加算、２人目の会員（Ｂさん）の口座に７００枚の加算を要求する。
【００５６】
メダル貸機10からの要求に応じて貯メダル管理装置23での更新が完了し、貯メダル管理装置23から更新完了通知を受けたら（ステップ25のＹＥＳ）、２人の会員の口座にある貯メダル数の更新結果をタッチパネルディスプレイ13に表示する（ステップ26）。例えば、１人目の会員（Ａさん）の口座の貯メダル数が３００枚であった場合には５００枚の加算で８００枚となり、２人目の会員（Ｂさん）の口座の貯メダル数が５００枚であった場合には７００枚の加算で１２００枚となる。その後、メダル貨機10が待機中となる。
【００５７】
このように、メダル貸機10におけるメダル貸出処理方法では、１回のメダル貸出処理中に複数の認証情報を受け付けて複数の会員の認証を可能とすることにより、貯メダルする場合でも、複数の会員で貸出メダルを合算購入でき、利便性を向上できる。
【００５８】
また、貨幣および貸出メダル数を受け付けた後、メダルを払い出すのか会員の口座に貯メダルするのかの選択を受け付けることができる。
【００５９】
また、貯メダルが選択された場合、貯メダルをする会員数を受け付けることにより、複数の会員での合算購入することができる。
【００６０】
また、１回のメダル貸出処理中に複数の会員の認証をした場合、認証した複数の会員の口座の貯メダルデータを更新することができる。
【００６１】
また、１回のメダル貸出処理中に複数の会員を認証した場合、認証した会員の数で貸出メダル数を均等割りするのか各々の会員に対して貸出メダル数を入力するのかの選択を受け付けることにより、貯メダル数の分配方法を任意に選択することができ、利用者の利便性を向上できる。
【００６２】
また、生体認証、会員識別媒体（会員カードや、会員が保有する携帯電話の非接触ＩＣチップ）の認証、暗証番号の認証のうちの少なくともいずれか１つで、会員の認証をすることができ、利用者の利便性を向上できる。
【００６３】
なお、メダル貸出処理にて認証した会員の口座に貯メダルするように貯メダル管理装置23へデータ送信した後、当該会員の認証を条件に、当該会員の貯メダル数の一部を他の所定の会員の口座に移行するように当該会員および他の所定の会員の口座の貯メダルデータを更新するようにしてもよい。これにより、例えば２人の会員で貸出メダルを合算購入する場合に、１人目の会員が先にメダル貸機10の場所に来て、他の（２人目の）会員の分も一緒に購入しておく場合に対応したもので、購入した貸出メダルが１人目の会員の口座に一括して貯メダルされ、後から２人目の会員がメダル貸機10の場所に来たら、１人目の会員および２人目の会員の認証後に、１人目の会員の口座から２人目の会員の口座に貯メダルの一部を移すことができる。
【００６４】
なお、前記実施の形態では、会員登録していない利用者に対応するためにメダル貸機10がメダルの貸出処理を行えるように構成しているが、会員専用の貯メダル端末として構成してもよい。
【００６５】
また、メダル貸機10の操作部12は、タッチパネルでなく、個々の操作に応じたボタンなどの操作手段で構成してもよい。
【００６６】
また、複数の会員の口座に貯メダルするにあたり、必ずしも複数の会員の認証を要さなくてもよい。例えば、ＡとＢが家族であり、会員登録時に続柄などが確認できている場合には、Ａの会員認証のみでＢの会員の口座にも貯メダルできてよい。
【００６７】
また、メダル貸機10と貯メダル管理装置23との間がオフラインである場合には、メダル貸機10自体が貯メダル残高を記憶し、通信状態が復活したときに処理を再開してもよい。この場合、貸出メダルの数量のうちのとりあえず初回の遊技ができる程度のメダル数を実体で放出しておき、遊技中に通信状態が復活すれば、残りの貸出メダルの数量分の貯メダル処理を行い、ゲーム機24にて会員認証が行われていることを条件にこの貯メダル値を自動でゲーム機24に供給する。
【００６８】
また、遊技媒体の種類はメダル形態以外（例えば、球、コインなど）でもよい。
【００６９】
また、図示した各構成は機能概略的なものであり、必ずしも物理的に図示の構成をされていることを要しない。すなわち、各装置の分散・統合の形態は図示のものに限られず、その全部または一部を各種の負荷や使用状況などに応じて、任意の単位で機能的または物理的に分散・統合して構成することができる。
【符号の説明】
【００７０】
10    メダル貸機
19    認証情報入力手段としての生体認証部
23    貯メダル管理装置
25    メダル貸出処理システム
27    取得手段、会員認証要求手段、貯メダルデータ更新要求手段および認証拡張手段としての制御部
28    認証情報入力手段としての表示／操作部
30    受付手段としての紙幣処理部
31    受付手段としての硬貨処理部
32    認証情報入力手段としての会員カード処理部
37    会員認証手段および貯メダルデータ更新手段としての制御部
【図１】
2013255574.tif 000003
【図２】
2013255574.tif 000004
【図３】
2013255574.tif 000005
【図４】
2013255574.tif 000006